(57)【要約】【課題】スピーカが出力する音に対して、複雑な設定操作を行わずに音量および音質を調整する。【解決手段】音を出力するスピーカ部２と、音を集音するマイクロフォン部３と、スピーカ部２に出力させる音の信号に対する調整値を決定する調整値決定部４と、調整値決定部４によって決定された調整値に基づいて、スピーカ部２に出力させる音の信号の周波数特性を変更する信号処理部５とを備え、スピーカ部２は、所定の周波数帯域に出力する基準音を出力し、調整値決定部４は、マイクロフォン部３によって集音された基準音の信号と、マイクロフォン部３によって集音された当該基準音に対して音量および音質が調整された選定音の信号とに基づいて調整値を決定する。【選択図】図５
2011166298.tif 000002
【特許請求の範囲】
【請求項１】
音を出力するスピーカ部と、
音を集音するマイクロフォン部と、
前記スピーカ部に出力させる音の信号に対する調整値を決定する調整値決定部と、
前記調整値決定部によって決定された調整値に基づいて、前記スピーカ部に出力させる音の信号の周波数特性を変更する信号処理部とを備え、
前記スピーカ部は、所定の周波数帯域に出力する基準音を出力し、
前記調整値決定部は、前記マイクロフォン部によって集音された基準音の信号と、前記マイクロフォン部によって集音された当該基準音に対して音量および音質が調整された選定音の信号とに基づいて調整値を決定する
ことを特徴とする携帯電話機。
【請求項２】
調整値決定部は、マイクロフォン部によって集音された基準音の信号と選定音の信号との周波数特性の差分に基づいて調整値を決定する
請求項１記載の携帯電話機。
【請求項３】
スピーカ部の近傍に、穴の一部が覆われることによって、前記スピーカ部によって出力される音の音量および音質が変化する穴が設けられている
請求項１または請求項２記載の携帯電話機。
【請求項４】
マイクロフォン部は、スピーカ部によって出力された基準音と、当該基準音に対して、スピーカ部の近傍に設けられた穴の一部が覆われることによって音量および音質が調整された選定音とを集音する
請求項３記載の携帯電話機。
【請求項５】
スピーカ部は、スピーカ部が出力可能な周波数の全帯域に出力する信号を基準音として出力する
請求項１から請求項４のうちのいずれか１項に記載の携帯電話機。
【請求項６】
マイクロフォン部は、スピーカ部が音を出力する方向に指向性を有する
請求項１から請求項５のうちのいずれか１項に記載の携帯電話機。
【請求項７】
所定の周波数帯域に出力する基準音をスピーカから出力し、
前記スピーカによって出力された基準音と、当該基準音に対して音量および音質が調整された選定音とをマイクロフォンで集音し、
前記マイクロフォンによって集音された基準音の信号と選定音の信号とに基づいて調整値を決定し、
前記決定された調整値に基づいて、前記スピーカに出力させる音の信号の周波数特性を変更する
ことを特徴とするスピーカ出力制御方法。
【請求項８】
マイクロフォンによって集音された基準音の信号と選定音の信号との周波数特性の差分に基づいて調整値を決定する
請求項７記載のスピーカ出力制御方法。
【請求項９】
スピーカおよびマイクロフォンを有する携帯電話機に内蔵されたコンピュータに、
前記スピーカから出力され前記マイクロフォンによって集音された所定の周波数帯域に出力する基準音と、前記マイクロフォンによって集音された、当該基準音に対して音量および音質が調整された選定音との信号とに基づいて調整値を決定する処理と、
前記決定した調整値に基づいて、前記スピーカに出力させる音の信号の周波数特性を変更する処理とを実行させるための
スピーカ出力制御プログラム。
【請求項１０】
コンピュータに、
マイクロフォンによって集音された基準音の信号と選定音の信号との周波数特性の差分に基づいて調整値を決定する処理を実行させるための
請求項９記載のスピーカ出力制御プログラム。
【発明の詳細な説明】
【技術分野】
【０００１】
本発明は、スピーカから出力される音の音量および音質を調整する携帯電話機、スピーカ出力制御方法およびスピーカ出力制御プログラムに関する。
【背景技術】
【０００２】
携帯電話機は、従来、電話または電子メールの着信を知らせる着信音を鳴らすためにスピーカを使用していた。しかし、最近では、音楽や動画の配信サービス、ハンズフリー通話およびテレビジョン電話等の様々な機能が携帯電話機に追加され、追加された機能を利用するときに、音楽および音声を再生するためにスピーカが使われている。
【０００３】
音楽および音声の再生を伴う機能は、ユーザの好みに合わせて、再生する音量および音質を調整可能とする機能を備えていることが多い。しかし、一般に、音量および音質の調整は、操作方法が複雑で、ユーザ好みの音量および音質に簡単に調整することが難しい。
【０００４】
特許文献１には、情報処理端末に接続されるイヤホンを介して出力する音の音量および音質等を補正する情報処理端末が記載されている。特許文献１に記載された情報処理端末では、イヤホンを介して出力した音をマイクで集音し、集音した音から得られる音情報に基づいて補正値を決定する。このような情報処理端末は、補正値に基づいて補正処理が行われた音を出力し、イヤホンごとに異なるイヤホン特性の違いを抑制することができる。
【先行技術文献】
【特許文献】
【０００５】
【特許文献１】特開２００７−２３５８０９号公報（段落０００８，段落０００９−００１２）
【発明の概要】
【発明が解決しようとする課題】
【０００６】
しかし、特許文献１に記載された情報処理端末は、イヤホンが接続された情報処理端末において、イヤホンを介して出力する音に補正処理を行うものである。また、特許文献１に記載された情報処理端末は、イヤホンごとのイヤホン特性の違いを抑制するためのものであって、ユーザの好みに合わせて音量および音質を調整することを目的としていない。
【０００７】
そこで、本発明は、スピーカが出力する音に対して、複雑な設定操作を行わずに音量および音質を調整することができる携帯電話機、スピーカ出力制御方法およびスピーカ出力制御プログラムを提供することを目的とする。
【課題を解決するための手段】
【０００８】
本発明による携帯電話機は、音を出力するスピーカ部と、音を集音するマイクロフォン部と、スピーカ部に出力させる音の信号に対する調整値を決定する調整値決定部と、調整値決定部によって決定された調整値に基づいて、スピーカ部に出力させる音の信号の周波数特性を変更する信号処理部とを備え、スピーカ部は、所定の周波数帯域に出力する基準音を出力し、調整値決定部は、マイクロフォン部によって集音された基準音の信号と、マイクロフォン部によって集音された当該基準音に対して音量および音質が調整された選定音の信号とに基づいて調整値を決定することを特徴とする。
【０００９】
本発明によるスピーカ出力制御方法は、所定の周波数帯域に出力する基準音をスピーカから出力し、スピーカによって出力された基準音と、当該基準音に対して音量および音質が調整された選定音とをマイクロフォンで集音し、マイクロフォンによって集音された基準音の信号と選定音の信号とに基づいて調整値を決定し、決定された調整値に基づいて、スピーカに出力させる音の信号の周波数特性を変更することを特徴とする。
【００１０】
本発明によるスピーカ出力制御プログラムは、スピーカおよびマイクロフォンを有する携帯電話機に内蔵されたコンピュータに、スピーカから出力されマイクロフォンによって集音された所定の周波数帯域に出力する基準音と、マイクロフォンによって集音された、当該基準音に対して音量および音質が調整された選定音との信号とに基づいて調整値を決定する処理と、決定した調整値に基づいて、スピーカに出力させる音の信号の周波数特性を変更する処理とを実行させることを特徴とする。
【発明の効果】
【００１１】
本発明によれば、スピーカが出力する音に対して、複雑な設定操作を行わずに音量および音質を調整することができる。
【図面の簡単な説明】
【００１２】
【図１】本発明による第１の実施形態の携帯電話機の部品構成例を示す説明図である。
【図２】図１に示す携帯電話機の回路構成例を示すブロック図である。
【図３】図２に示す携帯電話機の動作例を示すフローチャートである。
【図４】データ化されたディジタル信号の周波数特性の例を示す説明図である。
【図５】本発明による携帯電話機の主要部を示すブロック図である。
【発明を実施するための形態】
【００１３】
実施形態１．
図１は、本発明による第１の実施形態の携帯電話機の部品構成例を示す説明図である。図１（Ａ）は、開状態にある第１の実施形態の携帯電話機を正面から見た場合の部品構成例を示す。図１（Ｂ）は、開状態にある第１の実施形態の携帯電話機を背面から見た場合の部品構成例を示す。なお、図１に破線で示す部品は、携帯電話機のケースまたはカバーの内側に設置される部品である。
【００１４】
図１に示す携帯電話機は、上部ケース１１、上部カバー１２、下部ケース１３、下部カバー１４、装置基板１５ａ，１５ｂ、スピーカ１６、マイクロフォン１７、表示部１８および操作部１９を備えている。
【００１５】
装置基板１５ａは、上部ケース１１および上部カバー１２に覆われた内側に設置されている。装置基板１５ｂは、下部ケース１３および下部カバー１４に覆われた内側に設置されている。
【００１６】
スピーカ１６は、例えば、装置基板１５ｂの下部カバー１４側の面に設置されている。スピーカ１６近傍の下部カバー１４には、スピーカ１６が出した音を通す穴としてスピーカ用音孔３２が設けられている。
【００１７】
スピーカ用音孔３２は、ユーザが指等を置く位置を変えることによって穴の面積を変化させることができる程度の大きさを有する。スピーカ１６が音を出力しているときに、ユーザは、スピーカ用音孔３２の一部を指で覆い、指で覆ったスピーカ用音孔３２の面積を変化させることによって、ユーザに聞こえる音の音量や音質を調整することができる。また、スピーカ用音孔３２は、１つずつの穴はユーザの指等で塞ぐことがでる程度の大きさを有する複数個の穴で構成され、ユーザの指等で塞ぐ穴の個数を変化させることによって、ユーザに聞こえる音の音量や音質を調整するように構成されていてもよい。
【００１８】
マイクロフォン１７は、例えば、装置基板１５ｂの下部ケース１３側の面に設置されている。マイクロフォン１７近傍の下部ケース１３には、マイクロフォン１７が音を集めやすくする穴としてマイクロフォン用音孔３１が設けられている。
【００１９】
なお、図１に示す携帯電話機では、スピーカ１６の背面から放出される音の影響およびスピーカ１６の振動の影響をマイクロフォン１７ができるだけ受けないように、各構成が配置されることが好ましい。例えば、装置基板１５をマイクロフォン１７とスピーカ１６とを分離するように配置したり、マイクロフォン１７またはスピーカ１６の周囲にクッション等を配置したりして、音や振動の影響を遮断する。
【００２０】
表示部１８は、装置基板１５ａ上に設置されているディスプレイ等である。操作部１９は、下部ケース１３に組み込まれているキーボード等である。
【００２１】
図２は、図１に示す携帯電話機の回路構成例を示すブロック図である。図１および図２を参照して、本発明による第１の実施形態の携帯電話機の構成を説明する。
【００２２】
図２に示す携帯電話機は、表示部１８、操作部１９、ＣＰＵ（Central Processing Unit ）２１、ＤＳＰ（Digital Signal Processor）２２、メモリ２３、スピーカ出力制御部２４、コンバータ２５、スピーカ用アンプ２６およびマイクロフォン用アンプ２７を含む。
【００２３】
ＣＰＵ２１は、図２に示す携帯電話機全体を制御するとともに、通話および通信に関係する処理および指示を行う。また、ＣＰＵ２１は、着信音、受話音声および送話音声等の音量を切り替える指示も行う。
【００２４】
表示部１８は、ＣＰＵ２１に接続されている。操作部１８は、ＣＰＵ２１による制御に従って、機能設定時の選択画面や各機能の選択状況等を表示する。
【００２５】
操作部１９は、ＣＰＵ２１に接続されている。操作部１９は、発呼の開始、通話の開始、通話の終了およびメニュー選択時等に、ユーザによってキー入力等の入力操作が行われる。操作部１９は、ユーザによって入力操作が行われると、入力操作に応じた入力信号をＣＰＵ２１に送信する。
【００２６】
ＤＳＰ２２は、ＣＰＵ２１に接続されている。ＤＳＰ２２は、送受話部（図示せず）で送受信される音声信号の信号処理、着信音等のメロディデータの信号処理および音楽データの信号処理等を行う。
【００２７】
メモリ２３は、ＣＰＵ２１およびＤＳＰ２２に接続されている。メモリ２３は、ＣＰＵ２１またはＤＳＰ２２による演算結果等を示すデータ、各種機能の設定状態を示すデータ、着信音のメロディデータおよび音楽データ等を格納する。また、メモリ２３は、スピーカ１６が出力可能な周波数の全帯域に出力する基準信号（例えば、一定レベルで出力されるＳｉｎ波のスイープディジタル信号）のデータを格納する。なお、基準信号は、スピーカ１６が出力可能な周波数のうちの所定の帯域に出力する信号としてもよい。
【００２８】
スピーカ出力制御部２４は、ＣＰＵ２１およびＤＳＰ２２に接続されている。スピーカ出力制御部２４は、ＤＳＰ２２から得た情報に基づいてＣＰＵ２１が出す指示に従って、スピーカ１６に出力させる音のディジタル信号を制御する。例えば、スピーカ出力制御部２４は、スピーカ１６に出力させる音のディジタル信号の周波数特性を所定の周波数帯域ごとに変更する。また、スピーカ出力制御部２４は、ディジタル信号の変更処理で使う調整値（イコライザパラメータ値）を決定する。
【００２９】
コンバータ２５は、ディジタル信号とアナログ信号の変換を行う。例えば、コンバータ２５は、ＤＳＰ２３またはスピーカ出力制御部２４によって送信された音声や音楽のディジタル信号をアナログ信号に変換し、スピーカ用アンプ２６に送信する。また、例えば、コンバータ２５は、マイクロフォン１７で集音されてマイクロフォン用アンプから送信されたアナログ信号をディジタル信号に変換し、ＤＳＰ２２に送信する。
【００３０】
スピーカ用アンプ２６は、スピーカ１６で音を出させるために、コンバータ２５から送信されたアナログ信号を増幅する。
【００３１】
マイクロフォン用アンプ２７は、マイクロフォン１７が集音したアナログ信号を増幅し、コンバータ２５に送信する。
【００３２】
なお、ＣＰＵ２１、ＤＳＰ２２およびスピーカ出力制御部２４は、例えば、プログラムに従って処理を実行する。
【００３３】
図３は、図２に示す携帯電話機の動作例を示すフローチャートである。図３を参照して、図２に示す携帯電話機が、スピーカが出力する音に対してユーザの好みに合わせた音量および音質に調整する機能（スピーカ出力制御機能）の設定を行う動作を説明する。
【００３４】
まず、ユーザによる操作部１９に対する入力操作によって、スピーカ出力制御機能が選択されると、操作部１９は、ＣＰＵ２１に、スピーカ出力制御機能が選択されたことを示す入力信号を送信する（ステップＳ１）。
【００３５】
ＣＰＵ２１は、メモリ２３に格納されている基準信号を所定のレベルで出力するようＤＳＰ２２に指示する。ＤＳＰ２２はＣＰＵ２１による指示に従って、メモリ２３に格納されているディジタル信号の基準信号をコンバータ２５に送信する。コンバータ２５は、受信したディジタル信号をアナログ信号に変換し、スピーカ用アンプ２６に送信する。スピーカ用アンプ２６は、コンバータ２５で変換されたアナログ信号を増幅する。スピーカ１６は、増幅されたアナログ信号を出力する（ステップＳ２）。このとき、スピーカ用音孔３２の一部または全てが、指等の障害物によって塞がれないようにする。
【００３６】
なお、ＣＰＵ２１は、基準信号を出力するようＤＳＰ２２に指示するときには、マイクロフォン１７を集音可能な状態にする指示も行うとする。また、マイクロフォン１７で集音するときには、マイクロフォン用音孔３１の一部または全てが、指等の障害物によって塞がれないようにする。
【００３７】
マイクロフォン１７は、ステップＳ２において出力された基準信号を集音する。マイクロフォン用アンプ２７は、マイクロフォン１７で集音されたアナログ信号を増幅する。コンバータ２５は、マイクロフォン用アンプ２７によって増幅されたアナログ信号をディジタル信号に変換する。ＤＳＰ２２は、コンバータ２５によって変換されたディジタル信号に信号処理を行い（ステップＳ３）、データ化したデータ（基準データ）をメモリ２３に格納する。
【００３８】
ステップＳ３においてデータがメモリ２３に格納されると、ＣＰＵ２１は、基準信号を所定のレベルで繰り返し出力するようＤＳＰ２２に指示する。ＣＰＵ２１が指示を行うと、ＤＳＰ２２、コンバータ２５およびスピーカ用アンプ２６は、ステップＳ１に示された動作と同様の動作を行い、スピーカ１６は、一定の期間、基準信号を繰り返し出力する（ステップＳ４）。
【００３９】
ステップＳ４において、一定の期間、基準信号が出力されている間に、ユーザは、基準信号を聞きながら、例えば、スピーカ用音孔３２の一部を指で覆い、指で覆ったスピーカ用音孔３２の面積を変化させることができる。スピーカ用音孔３２の面積が変化することによって、例えば、基準信号のピーク状の部分が左右にシフトしたり、基準信号の一部の周波数帯のレベルが抑えられたりする。従って、ユーザは、スピーカ用音孔３２の面積を変化させることによって、スピーカ用音孔３２から聞こえる基準信号をユーザの好みに合わせた音量および音質になるように調整することができる。
【００４０】
一定の期間、基準信号が出力されたあとに、表示部１８は、ＣＰＵ２１の指示に従って、イコライザパラメータ値の設定を行うか否かをユーザに求める表示を行う（ステップＳ５）。イコライザパラメータ値の設定を行う決定操作が操作部１９に行われると、操作部１９は、ＣＰＵ２１に、決定操作に応じた入力信号を送信する。
【００４１】
ＣＰＵ２１に決定操作に応じた入力信号が送信されると（ステップＳ５のＹ）、マイクロフォン１７は、スピーカ用音孔３２の一部が指で覆われた状態で出力されている基準信号を集音する。マイクロフォン用アンプ２７は、マイクロフォン１７で集音されたアナログ信号を増幅する。コンバータ２５は、マイクロフォン用アンプ２７によって増幅されたアナログ信号をディジタル信号に変換する。ＤＳＰ２２は、コンバータ２５によって変換されたディジタル信号に信号処理を行い（ステップＳ６）、データ化したデータ（選定データ）をメモリ２３に格納する。
【００４２】
なお、ステップＳ３およびステップＳ６において、基準信号を出力して基準データおよび選定データを取得するのではなく、メモリ２３に格納されている任意の音楽データを所定のレベルで出力して基準データおよび選定データを取得するとしてもよい。ただし、基準データおよび選定データを取得するときには、同じ音楽データを出力するものとする。
【００４３】
ＣＰＵ２１は、スピーカ出力制御部２４に、基準データを選定データに変更するために必要なイコライザパラメータ値を決定するよう指示する。スピーカ出力制御部２４は、基準データおよび選定データについて、レベルと周波数との関係を示す周波数特性の差分を計算して、イコライザパラメータ値を決定する（ステップＳ７）。
【００４４】
図４は、データ化されたディジタル信号の周波数特性の例を示す説明図である。図４（Ａ）に示されているデータＸは、ステップＳ３で信号処理された基準データを示す。図４（Ａ）に示されているデータＹは、ステップＳ６で信号処理された選定データを示す。すなわち、データＸは、基準信号が集音されて信号処理されたデータであり、データＹは、音量および音質が調整された基準信号が集音されて信号処理されたデータである。図４では、調整後の音に基づくデータＹが、調整前の音に基づくデータＸとは異なる周波数特性を持つことが示されている。
【００４５】
図４（Ｂ）に示されているデータＺは、ステップＳ７で決定されたイコライザパラメータ値を示す。データＺは、データＸとデータＹとの差分である。スピーカ出力制御部２４は、データＸにデータＺを調整値とした周波数特性の信号処理を行うことで、データＸをデータＹに変更することができる。
【００４６】
ＣＰＵ２１は、ステップＳ７において決定されたイコライザパラメータ値をメモリ２３に格納する（ステップＳ８）。
【００４７】
イコライザパラメータ値がメモリ２３に格納され、スピーカ出力制御機能が選択されている場合には、ＣＰＵ２１は、スピーカ出力制御部２４に、スピーカ１６が出力する音に対して信号処理を行うように指示を出す。スピーカ出力制御部２４は、スピーカ１６に出力させる音のディジタル信号をＤＳＰ２２から受信し、イコライザパラメータ値をメモリ２３から取得する。スピーカ出力制御部２４は、受信したディジタル信号に、取得したイコライザパラメータ値を使って、ディジタル信号の周波数特性を所定の周波数帯域ごとに変更する信号処理を行う。
【００４８】
そして、スピーカ出力制御部２４は、信号処理が行われたディジタル信号をコンバータ２５に送信する。コンバータ２５は、受信したディジタル信号をアナログ信号に変換し、スピーカ用アンプ２６に送信する。スピーカ用アンプ２６は、コンバータ２５で変換されたアナログ信号を増幅する。スピーカ１６は、増幅されたアナログ信号に基づいて、イコライザパラメータ値で調整された音を出力する。
【００４９】
このような携帯電話機では、スピーカ出力制御機能の調整用のデータを設定する場合に、ユーザは、スピーカ１６が出力する基準信号に対して、スピーカ用音孔３２の一部を指等で覆い、指等で覆ったスピーカ用音孔３２の面積を変化させることによってユーザの好みに合わせた音量および音質を調整して決定するだけでよく、音量および音質を調整する操作が簡単である。
【００５０】
また、このような携帯電話機では、マイクロフォン１７で集音したデータ（基準データおよび選定データに相当）に基づいて、スピーカ出力制御部２４が所定の周波数帯ごとのイコライザパラメータ値を予め決定するので、ユーザは、周波数帯ごとにイコライザパラメータ値を設定するような面倒な設定操作を行わずにすむ。そして、携帯電話機は、スピーカ１６が出力する音をユーザの好みに合わせた音量および音質に確実に調整して提供することができる。
【００５１】
また、携帯電話機に元々備わっているスピーカ１６およびマイクロフォン１７を利用してイコライザパラメータ値を決定するので、新たな部品を追加することなくスピーカ出力制御機能の追加を実現することができ、少ないコストで機能を追加することができる。
【００５２】
実施形態２．
本発明による第２の実施形態の携帯電話機について説明する。第２の実施形態の携帯電話機の構成は、図１および図２に示す第１の実施形態の携帯電話機の構成と同じである。
【００５３】
ただし、第２の実施形態の携帯電話機は、マイクロフォン１７に、所定の方向に対して集音能力が優れた指向性マイクロフォンが用いられる。第２の実施形態の携帯電話機は、指向性マイクロフォンがスピーカ用音孔３２付近に指向性を持つようにする。
【００５４】
このような携帯電話機では、スピーカ１６が基準信号を出力した場合に、指向性マイクロフォンは、ユーザに実際に聞こえる基準信号に近い音を集音することができるので、ＤＳＰ２２は、第１の実施形態の携帯電話機よりも高品質な基準データと選定データとを取得することができる。従って、スピーカ出力制御部２４は、高品質な基準データと選定データとに基づいてイコライザパラメータ値を決定することができる。そして、スピーカ出力制御部２４は、決定されたイコライザパラメータ値に基づいて周波数特性を変更する信号処理を行うことによって、より正確にユーザが好む音量および音質に調整した音をスピーカ１６に出力させることができる。
【００５５】
また、第２の実施形態の携帯電話機は、指向性を制御可能な複数のマイクロフォンを備えるとしてもよい。このような携帯電話機でも、スピーカ用音孔３２付近またはユーザの耳元付近にマイクロフォンの指向性を持たせるように制御することによって、ＤＳＰ２２は、高品質な基準データと選出データとを取得することができる。そして、スピーカ出力制御部２４は、決定されたイコライザパラメータ値に基づいて周波数特性を変更する信号処理を行うことによって、より正確にユーザが好む音量および音質に調整した音をスピーカ１６に出力させることができる。
【００５６】
図５は、本発明による携帯電話機の主要部を示すブロック図である。図５に示すように、携帯電話機１は、音を出力するスピーカ部２（例えば、図２に示すスピーカ１６に相当）と、音を集音するマイクロフォン部３（例えば、図２に示すマイクロフォン１７に相当）と、スピーカ部２に出力させる音の信号に対する調整値（例えば、イコライザパラメータ値）を決定する調整値決定部４（例えば、図２に示すスピーカ出力制御部２４に相当）と、調整値決定部４によって決定された調整値に基づいて、スピーカ部２に出力させる音の信号の周波数特性を変更する信号処理部５（例えば、図２に示すスピーカ出力制御部２４に相当）とを備え、スピーカ部２は、所定の周波数帯域に出力する基準音（例えば、第１の実施形態の基準信号に相当）を出力し、調整値決定部４は、マイクロフォン部３によって集音された基準音の信号（例えば、第１の実施形態の基準データに相当）と、マイクロフォン部３によって集音された当該基準音に対して音量および音質が調整された選定音の信号（例えば、第１の実施形態の選定データに相当）とに基づいて調整値を決定するように構成されている。
【００５７】
また、上記の各実施形態では、以下の（１）〜（５）に示すような携帯電話機も開示されている。
【００５８】
（１）調整値決定部は、マイクロフォン部によって集音された基準音の信号と選定音の信号との周波数特性の差分に基づいて調整値を決定する（例えば、ステップＳ７に示す動作によって実現される。）携帯電話機。
【００５９】
（２）スピーカ部の近傍に、穴の一部が覆われることによって、スピーカ部によって出力される音の音量および音質が変化する穴（例えば、図１に示すスピーカ用音孔３２に相当）が設けられている携帯電話機。
【００６０】
（３）マイクロフォン部は、スピーカ部によって出力された基準音と、当該基準音に対して、スピーカ部の近傍に設けられた穴の一部が覆われることによって音量および音質が調整された選定音とを集音する携帯電話機。
【００６１】
（４）スピーカ部は、スピーカ部が出力可能な周波数の全帯域に出力する信号（例えば、第１の実施形態の基準信号に相当）を基準音として出力する携帯電話機。
【００６２】
（５）マイクロフォン部は、スピーカ部が音を出力する方向に指向性を有する携帯電話機（例えば、第２の実施形態の携帯電話機によって実現される。）。
【産業上の利用可能性】
【００６３】
本発明を、着信音、音楽または音声を再生するためにスピーカを使用し、送話に必要なマイクを備えた移動通信端末、または同様な機能を持つＰＤＡ（Personal Digital Assistant）端末などの情報処理端末に適用可能である。
【符号の説明】
【００６４】
１    携帯電話機
２    スピーカ部
３    マイクロフォン部
４    調整値決定部
５    信号処理部
１１  上部ケース
１２  上部カバー
１３  下部ケース
１４  下部カバー
１５ａ，１５ｂ  装置基板
１６  スピーカ
１７  マイクロフォン
１８  表示部
１９  操作部
２１  ＣＰＵ
２２  ＤＳＰ
２３  メモリ
２４  スピーカ出力制御部
２５  コンバータ
２６  スピーカ用アンプ
２７  マイクロフォン用アンプ
３１  マイクロフォン用音孔
３２  スピーカ用音孔
【図１】
2011166298.tif 000003
【図２】
2011166298.tif 000004
【図３】
2011166298.tif 000005
【図４】
2011166298.tif 000006
【図５】
2011166298.tif 000007